(57)【要約】【課題】明かり区間を走行する際に発せられる低周波振動を低減させることができる、鉄道車両及び鉄道車両設計方法の提供を課題とする。【解決手段】空間圧力計算工程と、圧力変動解析工程と、周波数特性解析工程と、バンドパス処理工程と、バンドパス最大振幅解析工程と、このバンドパス最大振幅解析工程で得られた最大振幅△Ｐｂを低減させる先頭部形状を求める車両形状選定工程とを有する鉄道車両設計方法を採用した。また、特定波数成分におけるバンドパス圧力変動がピーク値を迎えた直後に形成する減圧の最低値を上昇させる昇圧面が形成されている鉄道車両を採用した。【選択図】      図２
2004175277.tif 000002
【特許請求の範囲】
【請求項１】
明かり区間を走行する鉄道車両の周囲における空間圧力分布を求める空間圧力計算工程と、
該空間圧力計算工程で得られた前記空間圧力分布から、前記明かり区間の定位置における圧力変動を求める圧力変動解析工程と、
該圧力変動解析工程で得られた前記圧力変動から、リニアスペクトルを求める周波数特性解析工程と、
該周波数特性解析工程で得られた前記リニアスペクトルから、特定周波数成分のバンドパス圧力変動を求めるバンドパス処理工程と、
該バンドパス処理工程で得られた前記バンドパス圧力変動の最大振幅を求めるバンドパス最大振幅解析工程と、
該バンドパス最大振幅解析工程で得られた前記最大振幅を低減させる先頭部形状を求める車両形状選定工程と
を有することを特徴とする鉄道車両設計方法。
【請求項２】
請求項１に記載の鉄道車両設計方法において、
前記特定周波数成分は、５Ｈｚ〜２５Ｈｚ帯域の低周波数成分である
ことを特徴とする鉄道車両設計方法。
【請求項３】
請求項２に記載の鉄道車両設計方法において、
前記車両形状選定工程における前記バンドパス圧力変動の最大振幅を、８０Ｐａ以下とする
ことを特徴とする鉄道車両設計方法。
【請求項４】
明かり区間の定位置で求めた５Ｈｚ〜２５Ｈｚ帯域の低周波数成分におけるバンドパス変動の最大振幅が、８０Ｐａ以下となる
ことを特徴とする鉄道車両。
【請求項５】
先頭部の側壁面に、
明かり区間の定位置で求めた特定波数成分におけるバンドパス圧力変動がピーク値を迎えた直後に形成する減圧の最低値を上昇させる昇圧面が形成されている
ことを特徴とする鉄道車両。
【請求項６】
請求項５に記載の鉄道車両において、
前記特定周波数成分が、５Ｈｚ〜２５Ｈｚ帯域の低周波数成分である
ことを特徴とする鉄道車両。
【請求項７】
請求項６に記載の鉄道車両において、
前記先頭部の全長をＬとし、前記先頭部の先端から前記昇圧面の先端位置までの距離寸法をｘとした場合に、
０．４０≦ｘ／Ｌ≦０．６３
であることを特徴とする鉄道車両。
【請求項８】
請求項５または請求項６に記載の鉄道車両において、
前記昇圧面が、この鉄道車両の走行方向の後方側に向かって前記先頭部の軸線から離れる傾斜面である
ことを特徴とする鉄道車両。
【請求項９】
請求項５または請求項６に記載の鉄道車両において、
前記昇圧面が、前記側壁面に形成された凹部に含まれている
ことを特徴とする鉄道車両。
【請求項１０】
請求項８または請求項９に記載の鉄道車両において、
前記昇圧面の、前記軸線からの壁面までの寸法の最小寸法を最大寸法で割った比率が、９０％以上〜１００％未満である
ことを特徴とする鉄道車両。
【請求項１１】
請求項１０に記載の鉄道車両において、
前記比率が、圧力変動検討位置の高さがレールレベルから１．５ｍ以下の場合には、９０％以上〜１００％未満である
ことを特徴とする鉄道車両。
【発明の詳細な説明】
【０００１】
【発明の属する技術分野】
本発明は、鉄道車両設計方法及び鉄道車両に関する。
【０００２】
【従来の技術】
従来より、鉄道車両の高速化に伴う周囲環境への影響を低減させるための対策が、種々、検討されてきている。この周囲環境への影響は、鉄道車両の形状とその周囲の空気流れとが密接に関しており、これらの関係は、大きく二つに分けられる。
【０００３】
第１は、鉄道車両がトンネルに突入する場合のように、狭い空間を鉄道車両が走行する場合である。すなわち、先頭車両がトンネルに対してピストンの役目をなすことで、先頭車両前方の空気がトンネル内で次第に圧縮されて微気圧波と呼ばれる弱い圧縮波となり、鉄道車両よりも速い音速でトンネル内を伝搬する。この微気圧波は、一部がトンネル出口で反射し、大部分がトンネル外に音となって放出される。この音は、比較的大きな騒音となって周囲環境に発せられるため、これを低減すべく、例えば下記特許文献１などに、微気圧波を低減する先頭車両形状を備えた高速車両が開示されている。
第２は、鉄道車両がトンネルのない平坦な「明かり区間」を走行する場合である。しかし、このような広い空間を走行するときには、微気圧波が形成されないため、騒音を発する問題が上記トンネル内走行時に比較して少ない。このため、例えば下記特許文献２などに開示されているように、明かり区間では、鉄道車両を高速で走行させるために、空気抵抗の少ない先頭車両形状の選定が課題として優先されている。
【０００４】
【特許文献１】
特開平８−１９８１０５号公報
【特許文献２】
特開平５−１２４５１１号公報
【０００５】
【発明が解決しようとする課題】
ところで、前記明かり区間では、高速車両が通過する際に形成される圧力変動により、わずかながらも、低周波振動が周囲環境に及ぶことが判明しつつある。このような低周波振動の発生は、現状では問題ないレベルであるものの、今後の高速鉄道車両の更なる高速化の弊害となりうる恐れがあるため、この低周波振動を低減できる鉄道車両及びその設計方法が求められている。
【０００６】
本発明は、上記事情に鑑みてなされたものであり、明かり区間を走行する際に発せられる低周波振動を低減させることができる、鉄道車両及び鉄道車両設計方法の提供を目的とする。
【０００７】
【課題を解決するための手段】
本発明は、上記課題を解決するために以下の手段を採用した。
すなわち、請求項１に記載の鉄道車両設計方法は、明かり区間を走行する鉄道車両の周囲における空間圧力分布を求める空間圧力計算工程と、該空間圧力計算工程で得られた前記空間圧力分布から、前記明かり区間の定位置における圧力変動を求める圧力変動解析工程と、該圧力変動解析工程で得られた前記圧力変動から、リニアスペクトルを求める周波数特性解析工程と、該周波数特性解析工程で得られた前記リニアスペクトルから、特定周波数成分のバンドパス圧力変動を求めるバンドパス処理工程と、該バンドパス処理工程で得られた前記バンドパス圧力変動の最大振幅を求めるバンドパス最大振幅解析工程と、該バンドパス最大振幅解析工程で得られた前記最大振幅を低減させる先頭部形状を求める車両形状選定工程とを有することを特徴とする。
上記請求項１に記載の鉄道車両設計方法によれば、この設計方法により得られる鉄道車両の先頭部形状が、低周波振動の主因となる、特定周波数成分のバンドパス圧力変動の最大振幅を、従来よりも低くすることができる。
【０００８】
請求項２に記載の鉄道車両設計方法は、請求項１に記載の鉄道車両設計方法において、前記特定周波数成分が、５Ｈｚ〜２５Ｈｚ帯域の低周波数成分であることを特徴とする。
上記請求項２に記載の鉄道車両設計方法によれば、特に、低周波振動の生成に影響を及ぼす特定周波数成分が主に５Ｈｚ以上かつ２５Ｈｚ以下の帯域であるため、この低周波数成分の帯域から得られる最大振幅を低減させることにより、結果として得られる低周波振動を確実かつ効果的に低減させることができる。
【０００９】
請求項３に記載の鉄道車両設計方法は、請求項２に記載の鉄道車両設計方法において、前記車両形状選定工程における前記バンドパス圧力変動の最大振幅を、８０Ｐａ以下とすることを特徴とする。
上記請求項３に記載の鉄道車両設計方法によれば、低周波振動を起こすバンドパス圧力変動を大幅に低減させることができる。
【００１０】
請求項４に記載の鉄道車両は、明かり区間の定位置で求めた５Ｈｚ〜２５Ｈｚ帯域の低周波数成分におけるバンドパス変動の最大振幅が、８０Ｐａ以下となることを特徴とする。
上記請求項４に記載の鉄道車両によれば、低周波振動の主因となる、５Ｈｚ〜２５Ｈｚ帯域の低周波数成分のバンドパス圧力変動の最大振幅を、従来よりも低くすることができる。
【００１１】
請求項５に記載の鉄道車両は、先頭部の側壁面に、明かり区間の定位置で求めた特定波数成分におけるバンドパス圧力変動がピーク値を迎えた直後に形成する減圧の最低値を上昇させる昇圧面が形成されていることを特徴とする。
上記請求項５に記載の鉄道車両によれば、低周波振動を起こすバンドパス圧力変動の最大振幅を大幅に低減させることができる。
【００１２】
請求項６に記載の鉄道車両は、請求項５に記載の鉄道車両において、前記特定周波数成分が、５Ｈｚ〜２５Ｈｚ帯域の低周波数成分であることを特徴とする。
上記請求項６に記載の鉄道車両によれば、特に、低周波振動の生成に影響を及ぼす特定周波数成分が５Ｈｚ以上かつ２５Ｈｚ以下の帯域であるため、この低周波数成分の帯域から得られる最大振幅を低減させることにより、結果として得られる低周波振動を確実かつ効果的に低減させることができる。
【００１３】
請求項７に記載の鉄道車両は、請求項６に記載の鉄道車両において、前記先頭部の全長をＬとし、前記先頭部の先端から前記昇圧面の先端位置までの距離寸法をｘとした場合に、０．４０≦ｘ／Ｌ≦０．６３であることを特徴とする。
上記請求項７に記載の鉄道車両によれば、５Ｈｚ〜２５Ｈｚ帯域の低周波数成分におけるバンドパス圧力変動の最大振幅を８０Ｐａ以下に低減させることができる。
【００１４】
請求項８に記載の鉄道車両は、請求項５または請求項６に記載の鉄道車両において、前記昇圧面が、この鉄道車両の走行方向の後方側に向かって前記先頭部の軸線から離れる傾斜面であることを特徴とする。
上記請求項８に記載の鉄道車両によれば、傾斜面により、バンドパス圧力変動がピーク値を迎えた直後に形成する減圧の最低値を確実に上昇させることができる。
【００１５】
請求項９に記載の鉄道車両は、請求項５または請求項６に記載の鉄道車両において、前記昇圧面が、前記側壁面に形成された凹部に含まれていることを特徴とする。
上記請求項９に記載の鉄道車両によれば、凹部に含まれた昇圧面により、バンドパス圧力変動がピーク値を迎えた直後に形成する減圧の最低値を、確実に上昇させることができる。
【００１６】
請求項１０に記載の鉄道車両は、請求項８または請求項９に記載の鉄道車両において、前記昇圧面の、前記軸線からの壁面までの寸法の最小寸法を最大寸法で割った比率が、９０％以上〜１００％未満であることを特徴とする。
上記請求項１０に記載の鉄道車両によれば、バンドパス圧力変動がピーク値を迎えた直後に形成する減圧の最低値を、従来よりも確実に上昇させることができる。
【００１７】
請求項１１に記載の鉄道車両は、請求項１０に記載の鉄道車両において、前記比率が、圧力変動検討位置の高さがレールレベルから１．５ｍ以下の場合には、９０％以上〜１００％未満であることを特徴とする。
上記請求項１１に記載の鉄道車両によれば、明かり区間における所望の高さ位置での低周波振動を低減させることができる。
【００１８】
【発明の実施の形態】
以下、本発明の鉄道車両及び鉄道車両設計方法の一実施形態を、図面を参照しながら以下に説明するが、本発明がこれに限定解釈されるものでないことはもちろんである。
【００１９】
本実施形態の鉄道車両設計方法は、明かり区間を高速走行する鉄道車両が、周囲環境に与える低周波振動を低減させることを主な目的としており、以下の各工程を経て設計される。
（１）空間圧力計算工程
この工程では、走行する鉄道車両の形状と、その走行速度と、明かり区間の形状（平場、盛土、高架のいずれか。本実施形態では、図１に示す盛土を選択している。）とを初期条件とし、定常ＣＦＤ計算（定常数値流体力学計算）により、明かり区間を走行する鉄道車両の周囲における空間圧力分布を求める。
【００２０】
（２）圧力変動解析工程
空間圧力計算工程に続くこの工程では、まず、建物など、低周波振動の影響を受ける恐れがあるために検討すべき位置を、図１に示す各検討位置Ｐ１〜Ｐ９として設定する。なお、以下の説明においては、Ｌ＝９．２ｍの車両において、走行速度時速２７０ｋｍで、これら検討位置のうち、検討位置Ｐ２をピックアップして説明を行うものとする。
すなわち、前工程で得られた前記空間圧力分布から、明かり区間の定位置である検討位置Ｐ２における圧力変動を求める。その計算結果の例を、図２（ａ）に示す。同図において、横軸は時間軸を示し、縦軸は検討位置Ｐ２における圧力を示している。また、同図における破線が、本発明の鉄道車両設計方法に基づいて最適化された鉄道車両形状での計算結果を示し、実線が、従来形状の鉄道車両形状での計算結果を示している。この図に示すように、検討位置Ｐ２における圧力Ｐは、急上昇して正圧のピークを迎えた後、急速に減圧して負圧のピークを迎えている。
【００２１】
（３）周波数特性解析工程
圧力変動解析工程に続くこの工程では、前工程で得られた図２（ａ）の圧力変動（圧力時間変化）をＦＦＴ解析にかけることで、図２（ｃ）に示すリニアスペクトル（圧力変動の周波数特性）を得る。同図において、横軸は周波数を示し、縦軸はリニアスペクトルＰｌを示している。この図に示す周波数帯域のうち、低周波振動の主要因となっているのが、５Ｈｚ〜２５Ｈｚ帯域の低周波数成分である。
【００２２】
（４）バンドパス処理工程
周波数特性解析工程に続くこの工程では、前工程で得られた図２（ｃ）のリニアスペクトルＰｌから、特定周波数成分のバンドパス圧力変動を抽出して求める。この特定周波数成分としては、上述の理由により、５Ｈｚ〜２５Ｈｚ帯域の低周波数成分を抽出するのが効果的である。この低周波数成分のみを抽出するバンドパスフィルタ処理を行った結果が、図２（ｂ）である。したがって、図２（ａ）に示した圧力変動の波から、５Ｈｚ〜２５Ｈｚ帯域の波の成分を抽出したものが、図２（ｂ）となる。
【００２３】
（５）バンドパス最大振幅解析工程
バンドパス処理工程に続くこの工程では、前工程で得られた前記バンドパス圧力変動（バンドパス圧力時間変化Ｐｂ）の最大振幅△Ｐｂを求める。すなわち、図２（ｂ）に示すバンドパス圧力Ｐｂは、図２（ａ）に示す圧力変動Ｐが最大振幅を迎える時と同時期に、最大振幅を迎えるので、この最大振幅△Ｐｂを求める。同図の場合では、従来の車両形状で△Ｐｂ＝９４Ｐａ、本発明の鉄道車両形状で△Ｐｂ＝６８Ｐａと求められた。本発明の鉄道車両で最大振幅△Ｐｂが低減した理由については、後述で説明する。
【００２４】
（６）車両形状選定工程
バンドパス最大振幅解析工程に続くこの工程では、前工程で得られた前記最大振幅を低減させる先頭部形状を求める。すなわち、異なる先頭部形状を有する鉄道車両を複数設定し、それぞれの形状について上記（１）〜（５）の工程を行うことで、各車両形状毎のバンドパス圧力変動Ｐｂの最大振幅△Ｐｂを求め、これらの中から、他の設計条件（トンネル微気圧波）を満足した上で、最も低い最大振幅△Ｐｂを有する鉄道車両形状を選定する。
この際、許容する最大振幅△Ｐｂを８０Ｐａ以下に限定すると、従来に比較して、低周波振動を起こすバンドパス圧力変動Ｐｂを大幅に低減させることができる。
【００２５】
以上説明の鉄道車両設計方法を用いて設計した、本発明の鉄道車両の第１実施形態を、図３（ａ），（ｂ）に示す。
図３（ａ）に示すように、本実施形態の鉄道車両は、平面視した場合に、その先頭部１の両側壁面２に、明かり区間の定位置で求めた特定波数成分（５Ｈｚ〜２５Ｈｚ帯域の低周波数成分）におけるバンドパス圧力変動（図２（ｂ）のバンドパス圧力時間変化Ｐｂを参照。）が正の値に向かってピーク値を迎えた直後に負の値に向かって形成する減圧の最低値を上昇させる昇圧面３が形成されている。
【００２６】
これら昇圧面３は、両側壁面２に形成された凹部３Ａの一部として含まれる傾斜面であり、この鉄道車両の走行方向の後方側に向かって（図３（ａ）の紙面右側に向かって）、この先頭部１の軸線ＣＬから徐々に離れるような傾きをなしている。
したがって、先頭部１を平面視した場合の全体形状は、走行方向最先端位置１ａから後方側の位置１ｂに向かって鈍頭形状に膨らんだ後、さらに、位置１ｃに向かって前記軸線ＣＬに近づく緩やかな傾斜面を形成し、さらに、位置１ｄまで前記軸線ＣＬと平行な部分を形成した後、位置１ｅに向かう前記昇圧面３に連続している。
【００２７】
一方、図３（ｂ）に示すように、本実施形態の鉄道車両は、側面視した場合に、従来形状よりもノーズ上面１Ａをねかせた形状を採用している。これは、トンネル内の走行を考慮したものである。すなわち、前記空間圧力計算工程における、明かり区間での定常ＣＦＤ解析により求められた速度成分値（いわゆるＶｗａｌｌ値）が大きいと、これに比例してトンネル内圧力変動が大きくなるため、このＶｗａｌｌ値を低減すべく、ノーズ上面１Ａをねかせている。これにより、空気振動を低く抑えてトンネル微気圧波を低減させている。
【００２８】
ところで、前記昇圧面３は、その位置及び形状に応じて、バンドパス圧力の最大振幅△Ｐｂが変化するため、その最適な位置及び形状を採用するのが好ましい。
すなわち、図４に示すように、先頭部１の全長をＬとし、この先頭部１の走行方向最先端位置１ａから昇圧面３の先端位置までの距離寸法をｘとした場合には、０．４０≦ｘ／Ｌ≦０．６３の範囲内に収まるように距離寸法ｘを選定するのが好ましい。これは、図５に示す検討結果によるものであり、ｘ／Ｌ比を０〜１の間で変化させた場合の、バンドパス圧力の最大振幅△Ｐｂは、ｘ／Ｌ比が０．４以上かつ０．６３以下において８０Ｐａ以下と大幅に低下する。この理由により、ｘ／Ｌ比としては、０．４０以上かつ０．６３以下が好適に採用される。
【００２９】
また、前記昇圧面３の形状としては、その前記軸線ＣＬからの壁面までの寸法の最小寸法ｗ１を最大寸法ｗ２（図４参照）で割った比率ｒが、９０％以上〜１００％未満である形状を採用するのが好ましい。より詳しく言うと、前記比率ｒが、圧力変動検討位置の高さがレールレベルから１．５ｍ以下の場合には、９０％以上〜１００％未満である傾斜形状を採用するのがより好ましい。
【００３０】
これは、図７に示す検討結果によるものであり、図１の検討位置Ｐ２点を含む上下方向の各位置におけるバンドパス圧力の最大振幅△Ｐｂの傾向を解析してみると、同図に示すように、検討位置の高さがレールレベルから１．５ｍ以下の位置では、前記比率ｒが小さい（凹部３Ａの深さが深い）ほど最大振幅△Ｐｂを低くすることができ、逆に、１．５ｍよりも高い位置では、前記比率ｒが大きい（凹部３Ａの深さが浅い）ほど最大振幅△Ｐｂを低くすることができる。以上の理由により、各検討位置の高さ毎に最適な比率ｒがあるため、低周波振動を低減させたい検討位置の高さに応じた比率ｒを採用するのが好ましい。
【００３１】
続いて、本発明の鉄道車両の第２実施形態を、図７に示す。
同図に示すように、本実施形態の鉄道車両は、平面視した場合に、その先頭部１１の両側壁面１２に、明かり区間の定位置で求めた特定波数成分（５Ｈｚ〜２５Ｈｚ帯域の低周波数成分）におけるバンドパス圧力変動（図２（ｂ）のバンドパス圧力時間変化Ｐｂを参照。）が正の値に向かってピーク値を迎えた直後に負の値に向かって形成する減圧の最低値を上昇させる昇圧面１３が形成されている。
【００３２】
これら昇圧面１３は、両側壁面１２に形成された傾斜面であり、この鉄道車両の走行方向の後方側に向かって（図７の紙面右側に向かって）、この先頭部１１の軸線ＣＬから徐々に離れるような傾きをなしている。
したがって、先頭部１１を平面視した場合の全体形状は、走行方向最先端位置１１ａから後方側の位置１１ｂに向かって鈍頭形状に膨らんだ後、さらに、位置１１ｃまで前記軸線ＣＬと平行な部分を形成した後、位置１１ｄに向かう前記昇圧面１３に連続している。
【００３３】
すなわち、この先頭部１１は、実質的に、上記第１実施形態の先頭部１の、前記凹部３Ａよりも前方側の側部膨らみを取り除いたものであるが、この場合においても、５Ｈｚ〜２５Ｈｚ帯域の低周波数成分におけるバンドパス変動の最大振幅△Ｐｂを、８０Ｐａ以下とすることができる。これは、バンドパス変動の最大振幅低減に効果を果たすのが凹部３Ａ全体ではなく、そのうちの一部をなす昇圧面３であるからであり、この昇圧面３を少なくとも形成しておくことで、低周波振動を低減させることが可能となる。本実施形態の昇圧面１３においても、その最適位置及び最適形状については、上記第１実施形態の昇圧面３と同様である。
【００３４】
なお、図７（ｂ）に示すように、本実施形態の鉄道車両は、側面視した場合に、従来形状よりもノーズ上面１１Ａをねかせた形状を採用している。これは、上記第１実施形態と同様に、空気振動を低く抑えてトンネル微気圧波を低減させるためである。
【００３５】
以上説明の第１実施形態及び第２実施形態の鉄道車両によれば、明かり区間の定位置で５Ｈｚ〜２５Ｈｚ帯域の低周波数成分におけるバンドパス変動の最大振幅△Ｐｂを求めると、８０Ｐａ以下となる。これにより、明かり区間を走行する鉄道車両より発生される、５Ｈｚ〜２５Ｈｚ帯域の低周波数成分のバンドパス圧力変動の最大振幅Ｐｂを、従来よりも低くすることができるので、低周波振動を低減させることが可能となる。
なお、本発明の請求項１に記載の鉄道車両設計方法では，特定周波数成分を別の帯域，例えば，５Ｈｚ〜２０Ｈｚ帯域として設計することも可能である。
【００３６】
【発明の効果】
本発明の請求項１に記載の鉄道車両設計方法は、空間圧力計算工程と、圧力変動解析工程と、周波数特性解析工程と、バンドパス処理工程と、バンドパス最大振幅解析工程と、このバンドパス最大振幅解析工程で得られた最大振幅を低減させる先頭部形状を求める車両形状選定工程とを有する方法を採用した。この方法によれば、明かり区間を走行する鉄道車両より発生される、特定周波数成分のバンドパス圧力変動の最大振幅を、従来よりも低くすることができるので、低周波振動を低減させることが可能となる。
【００３７】
また、請求項２に記載の鉄道車両設計方法は、前記特定周波数成分を、５Ｈｚ〜２５Ｈｚ帯域の低周波数成分とする方法を採用した。この方法によれば、低周波振動を確実かつ効果的に低減できる鉄道車両形状を得ることが可能となる。
【００３８】
また、請求項３に記載の鉄道車両設計方法は、車両形状選定工程におけるバンドパス圧力変動の最大振幅を８０Ｐａ以下とする方法を採用した。この方法によれば、バンドパス圧力変動を大幅に低減させることができるので、より確実かつ効果的に低周波振動を低減させることが可能となる。
【００３９】
また、請求項４に記載の鉄道車両は、明かり区間の定位置で求めた５Ｈｚ〜２５Ｈｚ帯域の低周波数成分におけるバンドパス変動の最大振幅が、８０Ｐａ以下である構成を採用した。この構成によれば、明かり区間を走行する鉄道車両より発生される、５Ｈｚ〜２５Ｈｚ帯域の低周波数成分のバンドパス圧力変動の最大振幅を、従来よりも低くすることができるので、低周波振動を低減させることが可能となる。
【００４０】
また、請求項５に記載の鉄道車両は、特定波数成分におけるバンドパス圧力変動がピーク値を迎えた直後に形成する減圧の最低値を上昇させる昇圧面が形成されている構成を採用した。この構成によれば、昇圧面により、バンドパス圧力変動の最大振幅を大幅に低減させることができるので、より確実かつ効果的に低周波振動を低減させることが可能となる。
【００４１】
また、請求項６に記載の鉄道車両は、前記特定周波数成分を、５Ｈｚ〜２５Ｈｚ帯域の低周波数成分とする構成を採用した。この構成によれば、低周波振動を確実かつ効果的に低減させることが可能となる。
【００４２】
また、請求項７に記載の鉄道車両は、先頭部の全長をＬとし、その先端から昇圧面の先端位置までの距離寸法をｘとした場合に、０．４０≦ｘ／Ｌ≦０．６３とする構成を採用した。この構成によれば、５Ｈｚ〜２５Ｈｚ帯域の低周波数成分におけるバンドパス圧力変動の最大振幅を８０Ｐａ以下に低減させることができるので、低周波振動を確実かつ効果的に低減させることが可能となる。
【００４３】
また、請求項８に記載の鉄道車両は、前記昇圧面が、この鉄道車両の走行方向の後方側に向かって先頭部の軸線から離れる傾斜面である構成を採用した。この構成によれば、バンドパス圧力変動の最大振幅を確実に低減させることができるので、低周波振動を確実かつ効果的に低減させることが可能となる。
【００４４】
また、請求項９に記載の鉄道車両は、前記昇圧面が、前記側壁面に形成された凹部に含まれていることを特徴とする。この構成によれば、バンドパス圧力変動の最大振幅を確実に低減させることができるので、低周波振動を確実かつ効果的に低減させることが可能となる。
【００４５】
また、請求項１０に記載の鉄道車両は、前記昇圧面の、前記軸線からの壁面までの寸法の最小寸法を最大寸法で割った比率が、９０％以上〜１００％未満である構成を採用した。この構成によれば、バンドパス圧力変動の最大振幅を確実に低減させることができるので、低周波振動をより確実かつ効果的に低減させることが可能となる。
【００４６】
また、請求項１１に記載の鉄道車両は、昇圧面の、前記軸線からの壁面までの寸法の最小寸法を最大寸法で割った比率を、圧力変動検討位置の高さに応じて設定する構成を採用した。この構成によれば、明かり区間における所望の高さ位置での低周波振動を低減させることが可能となる。
【図面の簡単な説明】
【図１】明かり区間（盛土）における各低周波振動検討位置を示す図であって、鉄道車両の進行方向に垂直な断面で見た縦断面図である。
【図２】図１の検討位置Ｐ２における計算結果を示すグラフであって、（ａ）が圧力時間変化、（ｂ）がバンドパス圧力時間変化、（ｃ）がリニアスペクトルを示している。
【図３】本発明の鉄道車両設計方法に基づいて設計された鉄道車両の第１実施形態を示す図であって、（ａ）は、その軸線を境とする半分を平面視した外形図であり、（ｂ）は側面図である。
【図４】本発明の鉄道車両設計方法に基づいて設計された鉄道車両の傾斜面位置を示す図であって、鉄道車両の軸線を境とする半分を平面視した外形図である。
【図５】図４に示す各凹部位置毎のバンドパス圧力最大振幅を示すグラフであって、横軸が凹部位置、縦軸がバンドパス圧力最大振幅を示している。
【図６】明かり区間の高さ方向におけるバンドパス圧力最大振幅を、各鉄道車両形状毎に比較した場合を示すグラフである。
【図７】本発明の鉄道車両設計方法に基づいて設計された鉄道車両の第２実施形態を示す図であって、（ａ）は、その軸線を境とする半分を平面視した外形図であり、（ｂ）は側面図である。
【符号の説明】
３，１３・・・昇圧面
３Ａ・・・凹部
【図１】
2004175277.tif 000003
【図２】
2004175277.tif 000004
【図３】
2004175277.tif 000005
【図４】
2004175277.tif 000006
【図５】
2004175277.tif 000007
【図６】
2004175277.tif 000008
【図７】
2004175277.tif 000009